(57)【要約】【課題】遊技機に対する前後方向の位置決めを自動的に行わせて、その位置決め状態を確実に保持させることができる球受け装置を提供する。【解決手段】島設備に対して遊技機を閉状態とする過程で当該遊技機背面のタンクと当接しつつ押圧操作可能とされた操作レバー１と、ストッパ手段２と、操作レバー１の動作と連動する遊技球供給部位３とを具備した球受け装置であって、島設備における前後方向に延設されたスライドレールＳに沿って摺動可能なベースプレート（４、５）と、ベースプレートから延設されて押圧操作過程の操作レバー１と当接し、遊技機の閉方向への動作に追従して操作レバー１にて押圧されることにより当該ベースプレート全体を後方へ摺動して前後方向の位置決め可能なステー部５ａと、ステー部５ａにより位置決めされたベースプレートを保持する保持手段６とを備えたものである。【選択図】図３
2011030819.tif 000002
【特許請求の範囲】
【請求項１】
島設備に対して遊技機を閉状態とする過程で当該遊技機背面のタンクと当接しつつ押圧操作可能とされた操作レバーと、
該操作レバーが初期状態にあるとき遊技球の遊技機に対する通路を閉塞して当該遊技球の供給を遮断するとともに、前記操作レバーが押圧操作された状態にあるとき遊技球の遊技機に対する通路を開放して当該遊技球の供給を可能とし得るストッパ手段と、
前記操作レバーの動作と連動し、前記操作レバーが押圧操作された状態にあるとき、前記遊技機背面のタンク内まで下降して遊技球を供給し得る状態とされる遊技球供給部位と、
を具備し、前記島設備から遊技球を受けて遊技機に供給するための球受け装置であって、
前記操作レバー、ストッパ手段及び遊技球供給部位が形成され、島設備における前後方向に延設されたスライドレールに沿って摺動可能なベースプレートと、
該ベースプレートから延設されて押圧操作過程の前記操作レバーと当接し、前記遊技機の閉方向への動作に追従して当該操作レバーにて押圧されることにより当該ベースプレート全体を後方へ摺動して前後方向の位置決め可能なステー部と、
該ステー部により位置決めされた前記ベースプレートを保持する保持手段と、
を備えたことを特徴とする球受け装置。
【請求項２】
前記保持手段は、前記スライドレールに複数形成された溝のぞれぞれに係止可能な係止爪を有するとともに、任意位置の溝に当該係止爪が係止されることにより前記ベースプレートの位置決め状態が保持されることを特徴とする請求項１記載の球受け装置。
【請求項３】
前記係止爪は、前記スライドレールに対する前記ベースプレートの後方への摺動を許容するとともに、当該スライドレールに対する当該ベースプレートの前方への摺動を規制すべく任意位置の溝に係止可能とされたことを特徴とする請求項２記載の球受け装置。
【請求項４】
前記ベースプレートを常時、前方へ付勢する付勢手段を具備するとともに、前記係止爪は、前記スライドレールの溝に対する係止が解かれる方向に操作可能とされたことを特徴とする請求項３記載の球受け装置。
【請求項５】
前記操作レバーを前後方向に略直線的に動作させるとともに、前記遊技球供給部位を当該操作レバーの動作に伴って上下方向に略直線的に動作させる平行リンク機構を具備したことを特徴とする請求項１〜４の何れか１つに記載の球受け装置。
【発明の詳細な説明】
【技術分野】
【０００１】
本発明は、島設備から遊技球を受けて遊技機に供給するための球受け装置に関するものである。
【背景技術】
【０００２】
島設備は、パチンコ遊技機を複数並設させるとともに、各パチンコ遊技機に遊技球を供給するための供給樋等が内部に延設されている。かかる供給樋と各パチンコ遊技機との間には、フレキシブルチューブ等から成る供給管が介在しているとともに、当該フレキシブルチューブのパチンコ遊技機側（パチンコ遊技機背面のタンク近傍）には島設備から遊技球を受けて当該パチンコ遊技機に供給するための球受け装置が接続されている。
【０００３】
この球受け装置は、従来より島設備内における柱や梁等にビスや蝶ネジ等で固定されており、例えば特許文献１にて開示されているように、パチンコ遊技機背面に配設されたタンクと当接して押圧操作可能とされた操作レバーと、操作レバーの動作と連動し、操作レバーが押圧操作された状態にあるとき遊技球の遊技機に対する通路を開放して当該遊技球の供給を可能とし得るストッパ手段と、操作レバーの動作と連動し、操作レバーが押圧操作された状態にあるとき、遊技機背面のタンク内まで揺動して遊技球を供給し得る状態とされる遊技球供給部位とを有していた。
【先行技術文献】
【特許文献】
【０００４】
【特許文献１】特開２００７−１２５４４３号公報
【発明の概要】
【発明が解決しようとする課題】
【０００５】
しかしながら、上記従来の球受け装置においては、以下に示す如き問題があった。
パチンコ遊技機背面のタンクの大きさや配設位置等は、その機種によって様々相違するため、当該機種に応じて島設備に対する球受け装置の固定位置を種々変更する必要がある。然るに、従来の球受け装置においては、島設備における固定をビスや蝶ネジ等にて行わせていたため、当該遊技機に対する左右、上下及び奥行き方向（前後方向）の位置決めが困難であるという問題がある。
【０００６】
特に、遊技機に対する奥行き方向（前後方向）の位置決めは、パチンコ遊技機が閉状態となった場合に目視することができず、例えば新台への一斉交換時においては、球受け装置の前後方向に対する位置決め作業時の作業性が著しく悪化してしまうという問題があった。尚、球受け装置の前後方向に対する位置決めが良好でないと、作動レバーが所望位置まで作動せず、遊技球の供給動作に悪影響を及ぼしてしまうという不具合がある。
【０００７】
本発明は、このような事情に鑑みてなされたもので、遊技機に対する前後方向の位置決めを自動的に行わせて、その位置決め状態を確実に保持させることができる球受け装置を提供することにある。
【課題を解決するための手段】
【０００８】
請求項１記載の発明は、島設備に対して遊技機を閉状態とする過程で当該遊技機背面のタンクと当接しつつ押圧操作可能とされた操作レバーと、該該操作レバーが初期状態にあるとき遊技球の遊技機に対する通路を閉塞して当該遊技球の供給を遮断するとともに、前記操作レバーが押圧操作された状態にあるとき遊技球の遊技機に対する通路を開放して当該遊技球の供給を可能とし得るストッパ手段と、前記操作レバーの動作と連動し、前記操作レバーが押圧操作された状態にあるとき、前記遊技機背面のタンク内まで下降して遊技球を供給し得る状態とされる遊技球供給部位とを具備し、前記島設備から遊技球を受けて遊技機に供給するための球受け装置であって、前記操作レバー、ストッパ手段及び遊技球供給部位が形成され、島設備における前後方向に延設されたスライドレールに沿って摺動可能なベースプレートと、該ベースプレートから延設されて押圧操作過程の前記操作レバーと当接し、前記遊技機の閉方向への動作に追従して当該操作レバーにて押圧されることにより当該ベースプレート全体を後方へ摺動して前後方向の位置決め可能なステー部と、該ステー部により位置決めされた前記ベースプレートを保持する保持手段とを備えたことを特徴とする。
【０００９】
請求項２記載の発明は、請求項１記載の球受け装置において、前記保持手段は、前記スライドレールに複数形成された溝のぞれぞれに係止可能な係止爪を有するとともに、任意位置の溝に当該係止爪が係止されることにより前記ベースプレートの位置決め状態が保持されることを特徴とする。
【００１０】
請求項３記載の発明は、請求項２記載の球受け装置において、前記係止爪は、前記スライドレールに対する前記ベースプレートの後方への摺動を許容するとともに、当該スライドレールに対する当該ベースプレートの前方への摺動を規制すべく任意位置の溝に係止可能とされたことを特徴とする。
【００１１】
請求項４記載の発明は、請求項３記載の球受け装置において、前記ベースプレートを常時、前方へ付勢する付勢手段を具備するとともに、前記係止爪は、前記スライドレールの溝に対する係止が解かれる方向に操作可能とされたことを特徴とする。
【００１２】
請求項５記載の発明は、請求項１〜４の何れか１つに記載の球受け装置において、前記操作レバーを前後方向に略直線的に動作させるとともに、前記遊技球供給部位を当該操作レバーの動作に伴って上下方向に略直線的に動作させる平行リンク機構を具備したことを特徴とする。
【発明の効果】
【００１３】
請求項１の発明によれば、遊技機の閉方向への動作に追従して操作レバーにて押圧されることによりベースプレート全体を後方へ摺動して前後方向の位置決め可能とされ、その位置決めされたベースプレートを保持手段にて保持可能とされているので、遊技機に対する前後方向の位置決めを自動的に行わせて、その位置決め状態を確実に保持させることができる。
【００１４】
請求項２の発明によれば、保持手段は、スライドレールに複数形成された溝のぞれぞれに係止可能な係止爪を有するとともに、任意位置の溝に当該係止爪が係止されることによりベースプレートの位置決め状態が保持されるので、当該ベースプレートの保持を簡易な構成で且つ確実に行わせることができる。
【００１５】
請求項３の発明によれば、係止爪は、スライドレールに対するベースプレートの後方への摺動を許容するとともに、当該スライドレールに対する当該ベースプレートの前方への摺動を規制すべく任意位置の溝に係止可能とされたので、遊技機を閉状態とする動作の過程においてスライドレールに対するベースプレートの摺動をよりスムーズに行わせることができる。
【００１６】
請求項４の発明によれば、ベースプレートを常時、前方へ付勢する付勢手段を具備するとともに、係止爪は、スライドレールの溝に対する係止が解かれる方向に操作可能とされたので、当該ベースプレートを初期位置に戻す動作をより簡易且つスムーズに行わせることができる。
【００１７】
請求項５の発明によれば、操作レバーを前後方向に略直線的に動作させるとともに、遊技球供給部位を当該操作レバーの動作に伴って上下方向に略直線的に動作させる平行リンク機構を具備したので、ステー部に対する操作レバーの当接を良好に行わせることができ、且つ、操作レバーの動作に伴う遊技球供給部位の移動量を小さくさせることができる。
【図面の簡単な説明】
【００１８】
【図１】本発明の実施形態に係る球受け装置（操作レバーの動作前）を示す正面図
【図２】同球受け装置（操作レバーの動作後）を示す正面図
【図３】同球受け装置（前後方向の位置決め後）を示す正面図
【図４】図１におけるＩＶ−ＩＶ線断面図
【図５】同球受け装置におけるベースプレートの背面図
【図６】同球受け装置における平行リンク機構（動作前）を示す模式図
【図７】同球受け装置における平行リンク機構（動作後）を示す模式図
【図８】同球受け装置における保持手段の保持爪と溝との係止状態等を示す図であって、ベースプレートが押圧される過程の保持爪と溝との間の状態を示す模式図
【図９】同球受け装置における保持手段の保持爪と溝との係止状態等を示す図であって、操作部を操作する過程の保持爪と溝との間の状態を示す模式図
【図１０】同球受け装置が適用された島設備内部の状態を示す模式図
【発明を実施するための形態】
【００１９】
以下、本発明の実施形態について図面を参照しながら具体的に説明する。
本実施形態に係る球受け装置は、島設備から遊技球を受けて遊技機に供給するためのもので、図１０に示すように、島設備内に配設された供給樋１４とフレキシブルチューブＪ（蛇腹状部材）を介して接続されるとともに、パチンコ遊技機ＰのタンクＴ内に供給樋１４からの遊技球を供給し得るようになっている。
【００２０】
尚、島設備は、ホール内において複数設置され、それぞれにおいて複数のパチンコ遊技機Ｐが配設されたものである。各パチンコ遊技機Ｐは、島設備に対して開閉可能とされており、開放状態ではタンクＴが球受け装置と離間した状態とされるとともに、閉状態では島設備に固定された木枠と当接してタンクＴに球受け装置が近接し得るようになっている。
【００２１】
本実施形態に係る球受け装置は、図１〜図５に示すように、操作レバー１と、ストッパ手段２と、遊技球供給部位３と、第１ベースプレート４及び第２ベースプレート５から成るベースプレートと、ステー部５ａと、保持手段６とから主に構成されており、島設備内の所定位置（前後方向に延びる梁等における所定部位）に配設されたものである。尚、本明細書においては、図１〜３中左右方向を「前後方向」、紙面上垂直方向を「左右方向」と称する。然るに、本球受け装置における左右方向及び上下方向の位置決めは、汎用の位置決め手段等にてなされるようになっている。
【００２２】
操作レバー１は、島設備に対してパチンコ遊技機Ｐを閉状態とする過程（木枠に当接させる過程）で当該パチンコ遊技機Ｐ背面のタンクＴと当接しつつ押圧操作可能とされたものである。即ち、操作レバー１は、パチンコ遊技機Ｐが閉状態まで動作する過程において、タンクＴの外側壁面と当接した後、更に押圧されると、図２に示すように、図中右方向に移動し得るよう構成されているのである。
【００２３】
ストッパ手段２は、操作レバー１が初期状態（図１の状態）にあるとき遊技球のパチンコ遊技機Ｐに対する通路８（図４参照）を閉塞して当該遊技球の供給を遮断するとともに、操作レバー１が押圧操作された状態にあるとき遊技球のパチンコ遊技機Ｐに対する通路８を開放して当該遊技球の供給を可能とし得るものである。ストッパ手段２による遊技球の閉塞状態を図６、当該閉塞状態が解除されて遊技球の供給が可能な状態を図７に示す。尚、図中符号Ｆは、球受け装置全体を島設備内に取り付けるための取付金具を示しており、本実施形態においては、当該取付金具６に突起を一体形成させ、その突起をストッパ手段２としている。
【００２４】
より具体的には、本球受け装置には、図４に示すように、フレキシブルチューブＪと接続可能な受入口７が形成されており、かかる受入口７と連通した筒状部材から成る通路８が配設されている。この通路８は、受入口７から受け入れた遊技球を遊技球供給部位３側に通過させ得るもので、図６、７に示すように、軸Ｌ１を中心に揺動自在とされるとともに、アーム部８ａが延設されている。操作レバー１が押圧操作される前の状態（初期状態）では、図６に示すように、ストッパ手段２が通路８内にあり当該通路８内を閉塞している。
【００２５】
かかるアーム部８ａの先端は、操作レバー１の基端部１ａと接続されているとともに、接続部位１３を介して遊技球供給部位３と接続されている。而して、操作レバー１がタンクＴで押圧操作されて図中ａ方向に移動すると、図７に示すように、通路８が軸Ｌ１を中心として揺動し、ストッパ手段２による通路８内の閉塞が解かれ、受入口７から受け入れられた遊技球が通路８を通過して遊技球供給部位３まで至り、そこからタンクＴ内に順次供給されることとなる。
【００２６】
遊技球供給部位３は、操作レバー１の動作と連動し得る筒状部材から成り、図２に示すように、操作レバー１が押圧操作された状態にあるとき、パチンコ遊技機Ｐ背面のタンクＴ内まで下降して遊技球を供給し得る状態とされるものである。より具体的には、図６、７に示すように、操作レバー１がタンクＴで押圧操作されて図中ａ方向に移動すると、通路８が軸Ｌ１を中心に揺動するので、それに伴って遊技球供給部位３が図中ｂ方向に移動し、その先端がタンクＴ内に至るよう構成されているのである。
【００２７】
然るに、本実施形態においては、操作レバー１を前後方向（図６中ａ方向）に略直線的に動作させるとともに、遊技球供給部位３を当該操作レバー１の動作に伴って上下方向（図６中ｂ方向）に略直線的に動作させる平行リンク機構を具備している。具体的には、図６に示すように、通路８におけるアーム部８ａの動作に追従する追従リンク１１と、接続部位１３の動作に追従する追従リンク１２とが形成されており、当該追従リンク１１の基端１１ａ及び追従リンク１２の基端１２ａが回動軸（平面方向には動作せず固定）とされている。
【００２８】
一方、アーム部の先端８ａａと追従リンク１１の先端１１ｂは、操作レバー１の基端部１ａに対してフリーな状態（平面方向の移動が許容）で軸支されるとともに、接続部位１３の先端１３ａと追従リンク１２の先端１２ｂは、遊技球供給部位３の側面に対してフリーな状態（平面方向の移動が許容）で軸支されている。これにより、通路８及び接続部位１３と、アーム部８ａと、追従リンク１１と、追従リンク１２とで平行リンク機構を構成しており、操作レバー１の直線状の移動（ａ方向への直動）に伴い遊技球供給部位３が直線状に移動（ｂ方向への直動）し得るようになっている。
【００２９】
ベースプレートは、操作レバー１、ストッパ手段２及び遊技球供給部位３が形成され、島設備における前後方向に延設されたスライドレールＳに沿って摺動可能なもので、本実施形態においては、操作レバー１、ストッパ手段２及び遊技球供給部位３等の構成要素を搭載した第１ベースプレート４と、スライドレールＳとスライド自在に嵌合した第２ベースプレート５とから構成されている。これら第１ベースプレート４と第２ベースプレート５とは、図４に示すように、第１ベースプレート４側に形成された複数のボス部４ａにネジＮを螺合させて一体化されている。
【００３０】
第１ベースプレート４は、操作レバー１、ストッパ手段２及び遊技球供給部位３を配設した板状部材から成るものであり、これら構成要素を一体的に動作させ得るようになっている。かかる第１ベースプレート４には、操作レバー１、ストッパ手段２及び遊技球供給部位３の他、既述した追従リンク１１、１２、及び作動部９ａを有したセンサ９等が形成されている。
【００３１】
このセンサ９は、パチンコ遊技機Ｐが島設備に対して開放されているとき、作動部９ａが追従リンク１１と離間して作動しない一方、当該パチンコ遊技機Ｐが閉状態とされて平行リンク機構が図７の状態とされると、作動部９ａが追従リンク１１に押圧されて作動し、電気信号を送信し得るようになっており、これによりパチンコ遊技機Ｐの開閉状態を把握し得るようになっている。
【００３２】
第２ベースプレート５は、図４、５に示すように、縁部に一対の折り曲げ部５ｂを有した金属性部材から成り、当該折り曲げ部５ｂがスライドレールＳに嵌合することにより、球受け装置全体をスライドレールＳに沿って摺動自在としつつ支持されるよう構成されている。かかる第２ベースプレート５の下部からは、一体的に延設されて成るステー部５ａが形成されている。
【００３３】
ステー部５ａは、ベースプレート（第２ベースプレート５）から延設されて押圧操作過程の操作レバー１と当接し、パチンコ遊技機Ｐの閉方向への動作に追従して当該操作レバー１にて押圧されることにより当該ベースプレート全体（即ち、球受け装置全体）を後方（図３中右側）へ摺動して前後方向の位置決め可能なものである。
【００３４】
即ち、パチンコ遊技機Ｐを島設備に対して閉状態とする過程において、タンクＴが操作レバー１と当接して押圧操作することにより、ストッパ手段２による遊技球の供給の遮断が解除されつつ遊技球供給部位３がタンクＴ内に至るとともに、そこから更にパチンコ遊技機Ｐが後方へ移動すると、操作レバー１がステー部５ａを押圧し、スライドレールＳに沿って球受け装置全体を同方向へ移動させ得るようになっているのである。然るに、パチンコ遊技機Ｐが図示しない木枠に当接して閉状態となると、図３に示すように、その状態のタンクＴの位置で操作レバー１並びに球受け装置全体が停止することとなり、前後方向の位置決めがなされる。
【００３５】
保持手段６は、上記の如くステー部５ａにより位置決めされたベースプレート（第１ベースプレート４及び第２ベースプレート５）を保持するためのもので、スライドレールＳに複数形成された溝Ｓａのぞれぞれに係止可能な係止爪６ａを有するとともに、任意位置の溝Ｓａに当該係止爪６ａが係止されることによりベースプレート（第１ベースプレート４及び第２ベースプレート５）の位置決め状態が保持されるよう構成されている。
【００３６】
より具体的には、保持爪６ａは、図８で示すように、その係止部がテーパ状に形成された可撓性部材（例えば金属板等）から成るものとされ、溝Ｓａに係止した状態（同図（ａ）参照）からベースプレート（第１ベースプレート４及び第２ベースプレート５）が図中右側（後方）に押圧されると、図中下方へ僅かに撓んでその溝Ｓａとの係止が解かれた後（同図（ｂ）参照）、そのまま押圧方向へ移動し（同図（ｃ）参照）、隣接する溝Ｓａ（後方の溝Ｓａ）に至って再び係止がなされるようになっている（同図（ｄ）参照）。一方、第２ベースプレート５には、図５で示すように、一端をスライドレールＳに固定されたコイルスプリング１０（付勢手段）の他端が操作部６ｂを介して接続されて成るものとされ、これによって当該第２ベースプレート５（即ち、ベースプレート全体）は、常時前方に付勢されている。而して、係止爪６ａは溝Ｓａの前方側の縁部に常時押圧された状態とされ、同方向への係止が確実に行われるようになっている。
【００３７】
このように、本実施形態に係る係止爪６ａは、スライドレールＳに対するベースプレート（第１ベースプレート４及び第２ベースプレート５）の後方への摺動を許容するとともに、当該スライドレールＳに対する当該ベースプレート（第１ベースプレート４及び第２ベースプレート５）の前方への摺動を規制すべく任意位置の溝Ｓａに係止可能とされているのである。尚、コイルスプリング１０に代えて、汎用的な他の付勢手段（板バネ等）とすることができる。
【００３８】
また、保持手段６は、図１〜３及び図５で示すように、第２ベースプレート５に形成された軸Ｌ２を中心に揺動可能な操作部６ｂを有しており、当該操作部６ｂの一部に係止爪６ａが形成されているとともに、コイルスプリング１０の他端が接続されている。これにより、係止爪６ａは、コイルスプリング１０の付勢力にてスライドレールＳの溝Ｓａの縁部（前方側の縁部）に押圧された状態とされて強固に係止されるとともに、操作部６ｂを揺動操作することにより、スライドレールＳの溝Ｓａに対する係止が解かれる方向（図８中下方）に操作可能とされており、係止が解かれるとコイルスプリング１０（付勢手段）の付勢力によってベースプレート（球受け装置全体）が初期状態に戻るようになっている。
【００３９】
より具体的には、図９に示すように、溝Ｓａに係止爪６ａが係止した状態（同図（ａ）参照）で操作部６ｂを軸Ｌ２を中心に揺動操作すると、係止爪６ａが溝Ｓａから離間して係止が解かれる（同図（ｂ）参照）。その状態にてコイルスプリング１０（付勢手段）の付勢力によってベースプレート（第１ベースプレート４及び第２ベースプレート５）を図中左側へ移動させ（同図（ｃ）参照）、初期位置に戻った時点で操作部６ｂに対する揺動操作を止めれば、同図（ｄ）に示すように、その初期位置における溝Ｓａに対して係止爪６ａが係止することとなる。
【００４０】
上記実施形態によれば、パチンコ遊技機Ｐの閉方向への動作に追従して操作レバー１にて押圧されることによりベースプレート全体（第１ベースプレート４及び第２ベースプレート５）を後方へ摺動して前後方向の位置決め可能とされ、その位置決めされたベースプレート（第１ベースプレート４及び第２ベースプレート５）を保持手段６にて保持可能とされているので、パチンコ遊技機１に対する前後方向の位置決めを自動的に行わせ、その位置決め状態を確実に保持させることができる。
【００４１】
また、保持手段６は、スライドレールＳに複数形成された溝Ｓａのぞれぞれに係止可能な係止爪６ａを有するとともに、任意位置の溝Ｓａに当該係止爪６ａが係止されることによりベースプレート（第１ベースプレート４及び第２ベースプレート５）の位置決め状態が保持されるので、当該ベースプレート（第１ベースプレート４及び第２ベースプレート５）の保持を簡易な構成で且つ確実に行わせることができる。
【００４２】
尚、保持手段６によりベースプレート（第１ベースプレート４及び第２ベースプレート５）の位置決め状態が保持されるので、当該ベースプレートの位置決め状態を保持せず、パチンコ遊技機Ｐの開閉毎に動作するものに比べ、耐久性を向上させ寿命を向上させることができる。
【００４３】
更に、係止爪６ａは、スライドレールＳに対するベースプレートの後方への摺動を許容するとともに、当該スライドレールＳに対する当該ベースプレートの前方への摺動を規制すべく任意位置の溝Ｓａに係止可能とされたので、パチンコ遊技機Ｐを閉状態とする動作の過程においてスライドレールＳに対するベースプレートの摺動をよりスムーズに行わせることができる。
【００４４】
また更に、ベースプレート（第２ベースプレート５）を常時、前方へ付勢する付勢手段（コイルスプリング１０）を具備するとともに、係止爪６ａは、スライドレールＳの溝Ｓａに対する係止が解かれる方向に操作可能とされたので、ベースプレート（第１ベースプレート４及び第２ベースプレート５）を初期位置に戻す動作をより簡易且つスムーズに行わせることができる。尚、本実施形態においては、操作部６ｂの先端にコイルスプリング１０の他端が接続されているので、ベースプレートを常時前方へ付勢するとともに、係止爪６ａをスライドレールＳの溝Ｓａの縁部（前方側の縁部）に押圧された状態として強固な係止を図ることができる。
【００４５】
また、操作レバー１を前後方向に略直線的に動作させるとともに、遊技球供給部位３を当該操作レバー１の動作に伴って上下方向に略直線的に動作させる平行リンク機構を具備したので、操作レバー１及び遊技球供給部位３が揺動動作するものに比べ、ステー部５ａに対する操作レバー１の当接を良好に行わせることができ、且つ、操作レバー１の動作に伴う遊技球供給部位３の移動量を小さくさせることができる。
【００４６】
以上、本実施形態について説明したが、本発明はこれに限定されるものではなく、例えば平行リンク機構を具備せず、操作レバー１又は遊技球供給部位３がそれぞれ揺動動作するものとしてもよい。また、保持手段は、ステー部５ａにより位置決めされたベースプレートを保持するものであれば足り、他の形態のものに代えてもよい。更に、第１ベースプレート４と第２ベースプレート５とが一体部品にて構成されたものであってもよい。
【産業上の利用可能性】
【００４７】
操作レバー、ストッパ手段及び遊技球供給部位が形成され、島設備における前後方向に延設されたスライドレールに沿って摺動可能なベースプレートと、該ベースプレートから延設されて押圧操作過程の操作レバーと当接し、遊技機の閉方向への動作に追従して当該操作レバーにて押圧されることにより当該ベースプレート全体を後方へ摺動して前後方向の位置決め可能なステー部と、該ステー部により位置決めされたベースプレートを保持する保持手段とを備えた球受け装置であれば、外観形状が異なるもの或いは他の機能が付加されたもの等にも適用できる。
【符号の説明】
【００４８】
１  操作レバー
２  ストッパ手段
３  遊技球供給部位
４  第１ベースプレート
５  第２ベースプレート
５ａ  ステー部
６  保持手段
６ａ  係止爪
７  受入口
８  通路
９  センサ
１０  コイルスプリング（付勢手段）
１１  追従リンク
１２  追従リンク
１３  接続部位
Ｓ  スライドレール
Ｓａ  溝
Ｐ  パチンコ遊技機
【図１】
2011030819.tif 000003
【図２】
2011030819.tif 000004
【図３】
2011030819.tif 000005
【図４】
2011030819.tif 000006
【図５】
2011030819.tif 000007
【図６】
2011030819.tif 000008
【図７】
2011030819.tif 000009
【図８】
2011030819.tif 000010
【図９】
2011030819.tif 000011
【図１０】
2011030819.tif 000012